(57)【特許請求の範囲】
【請求項１】
複数の第１電極と複数の第２電極及び前記第１電極と第２電極に交差する方向に形成される複数の第３電極を含むプラズマ表示装置において、１フレーム期間を複数のサブフィールド期間に分けて駆動する方法であって、
前記複数の第１電極を第１及び第２グループを含む複数のグループに分け、前記複数のサブフィールド期間を第１及び第２グループを含む複数のグループに分け、
前記第１グループのサブフィールド期間は、
第１リセット期間で第１グループの放電セルを初期化する段階と、
第１アドレス期間で第１グループの放電セルのうち点灯される放電セルを選択する段階と、
第２リセット期間で第２グループの放電セルを初期化する段階と、
第２アドレス期間で前記第２グループの放電セルのうち点灯される放電セルを選択する段階と、
維持期間で前記選択された第１及び第２グループの放電セルを維持放電させる段階と、を含み、
前記第１及び第２リセット期間のうちいずれか一つは、前記第２電極の電圧を第１電圧から第２電圧まで漸進的に減少させる補助リセット期間であり、残り一つは、前記第２電極の電圧を第３電圧から第４電圧まで漸進的に増加させた後、第５電圧から第６電圧まで漸進的に減少させるメインリセット期間であり、前記補助リセット期間における前記第２電圧の継続時間が前記メインリセット期間における前記第６電圧の継続時間より長い、プラズマ表示装置の駆動方法。
【請求項２】
前記第１リセット期間は補助リセット期間であり、前記第２リセット期間はメインリセット期間である、請求項１に記載のプラズマ表示装置の駆動方法。
【請求項３】
前記第１リセット期間と連なる前記第１または第２アドレス期間直後に、
前記第３電極に第７電圧を印加し、前記第２電極の電圧を第８電圧から第９電圧まで漸進的に減少させる段階をさらに含み、
前記第７電圧と前記第９電圧の差は、前記第１リセット期間で前記第２電極に前記第２電圧が印加される時、前記第３電極と前記第２電極に印加された電圧の差より大きい、請求項１または請求項２に記載のプラズマ表示装置の駆動方法。
【請求項４】
前記第７電圧は、前記第１及び第２アドレス期間で点灯される放電セルの前記第３電極に印加されるアドレス電圧と同一であり、
前記第９電圧は前記第２電圧と同一な、請求項３に記載のプラズマ表示装置の駆動方法。
【請求項５】
前記第１リセット期間で前記第２電極の電圧が減少する間前記第１グループの第１電極及び前記第２グループの第１電極は、各々第１０電圧及び第１１電圧にバイアスされており、
前記第２リセット期間で前記第２電極の電圧が減少する間前記第１グループの第１電極及び第２グループの第１電極は、各々第１２電圧及び第１３電圧にバイアスされている、請求項１または請求項２に記載のプラズマ表示装置の駆動方法。
【請求項６】
前記第２リセット期間で前記第２電極の電圧が前記第４電圧に増加する時、前記第１グループの第１電極には正電圧を印加し、前記第２グループの第１電極には負電圧を印加する、請求項５に記載のプラズマ表示装置の駆動方法。
【請求項７】
前記第１０電圧と前記第１３電圧は同一であり、前記第１１電圧と前記第１２電圧が同一であり、前記第１０電圧が前記第１１電圧より高い、請求項５に記載のプラズマ表示装置の駆動方法。
【請求項８】
前記第２グループのサブフィールド期間は、
第３リセット期間で第２グループの放電セルを初期化する段階と、
第３アドレス期間で前記第２グループの放電セルのうち点灯される放電セルを選択する段階と、
第４リセット期間で第１グループの放電セルを初期化する段階と、
第４アドレス期間で前記第１グループの放電セルのうち点灯される放電セルを選択する段階と、
前記維持期間で前記選択された第１及び第２グループの放電セルを維持放電させる段階と、
を含み、
前記第３及び第４リセット期間のうちいずれか一つは、前記第２電極の電圧を前記第１電圧から前記第２電圧まで漸進的に減少させる補助リセット期間であり、残り一つは、前記第２電極の電圧を前記第３電圧から前記第４電圧まで漸進的に増加させた後、前記第５電圧から前記第６電圧まで漸進的に減少させるメインリセット期間であり、前記補助リセット期間における前記第２電圧の継続時間が前記メインリセット期間における前記第６電圧の継続時間より長い、請求項１または請求項２に記載のプラズマ表示装置の駆動方法。
【請求項９】
前記第３リセット期間が補助リセット期間であり、前記第４リセット期間がメインリセット期間である、請求項８に記載のプラズマ表示装置の駆動方法。
【請求項１０】
前記第１及び第２グループのサブフィールドのうち一つのグループは奇数番目サブフィールドを含み、残り一つのグループは偶数番目サブフィールドを含む、請求項８に記載のプラズマ表示装置の駆動方法。
【請求項１１】
前記第１グループの第１電極及び第２グループの第１電極のうちいずれか一つのグループの第１電極は奇数番目第１電極であり、他の一つのグループの第１電極は偶数番目第１電極である、請求項１０に記載のプラズマ表示装置の駆動方法。
【請求項１２】
複数の第１電極と複数の第２電極及び前記第１電極と第２電極に交差する方向に形成される複数の第３電極を含むプラズマ表示パネルと、
前記複数の第１電極を第１及び第２グループを含む複数のグループに分け、１フレーム期間を第１及び第２グループを含む複数のサブフィールド期間に分けて駆動されるようにする制御部と、
前記第１グループのサブフィールドで、第１リセット期間の間第１グループの放電セルを初期化し、第１アドレス期間の間第１グループの放電セルに関してアドレス放電を遂行した後、第２リセット期間の間第２グループの放電セルを初期化し、第２アドレス期間の間第２グループの放電セルに関してアドレス放電を遂行する駆動回路と、
を含み、
前記第１及び第２リセット期間のうちいずれか一つは、前記第２電極の電圧を第１電圧から第２電圧まで漸進的に減少させる補助リセット期間であり、残り一つは、前記第２電極の電圧を第３電圧から第４電圧まで漸進的に増加させた後、第５電圧から第６電圧まで漸進的に減少させるメインリセット期間であり、前記補助リセット期間における前記第２電圧の継続時間が前記メインリセット期間における前記第６電圧の継続時間より長い、プラズマ表示装置。
【請求項１３】
前記第１リセット期間が補助リセット期間であり、前記第２リセット期間がメインリセット期間である、請求項１２に記載のプラズマ表示装置。
【請求項１４】
前記駆動回路は、
前記第２グループのサブフィールドで、第３リセット期間の間第２グループの放電セルを初期化し、第３アドレス期間の間第２グループの放電セルに関してアドレス放電を遂行した後、第４リセット期間の間第１グループの放電セルを初期化し、第４アドレス期間の間第１グループの放電セルに関してアドレス放電を遂行する、請求項１２または請求項１３に記載のプラズマ表示装置。
【請求項１５】
前記第３及び第４リセット期間のうちいずれか一つは前記補助リセット期間であり、残り一つは前記メインリセット期間である、請求項１４に記載のプラズマ表示装置。
【発明の詳細な説明】
【技術分野】
【０００１】
本発明は、プラズマ表示装置及びその駆動方法に関するものである。
【背景技術】
【０００２】
プラズマ表示装置は、気体放電によって生成されたプラズマを利用して文字または映像を表示するプラズマ表示パネルを利用した表示装置である。
【０００３】
このようなプラズマ表示装置の表示パネルは、１フレーム期間がそれぞれの加重値を有する複数のサブフィールド期間に分割されて駆動され、各サブフィールド期間にはリセット期間、アドレス期間及び維持期間が含まれる。リセット期間はアドレス放電を安定的に遂行するために放電セルの状態を初期化する期間であり、アドレス期間はアドレス放電により複数の放電セルの中から点灯されるセルを選択する期間である。そして、維持期間は、実際に画像を表示するために点灯されるセルに関して維持放電を遂行する期間である。
【０００４】
図１は従来プラズマ表示装置の駆動波形図である。
【０００５】
図１に示されたように、アドレス期間では走査電極（Ｙ）に順次にＶｓｃＬ電圧を印加し、ＶｓｃＬ電圧が印加された走査電極（Ｙ）によって形成される放電セルの中で選択しようとする放電セルを通過するアドレス電極（Ａ）にアドレス電圧（Ｖａ）を印加して点灯される放電セルを選択する。ところで、アドレス期間で全ての放電セルに関して順次にアドレッシング動作が遂行されるので時間的に後にアドレッシングされる放電セルでは放電セル内部のプライミング粒子の不足によりアドレス放電がよく起こらないことがある。
【特許文献１】米国登録特許第５、７４５、０８６号
【発明の開示】
【発明が解決しようとする課題】
【０００６】
そこで、本発明は、安定なアドレス放電を遂行することができるプラズマ表示装置及びその駆動方法を提供することにある。
【課題を解決するための手段】
【０００７】
上記課題を解決するために、本発明の一つの観点によれば、複数の第１電極と複数の第２電極及び前記第１電極と第２電極に交差する方向に形成される複数の第３電極を含むプラズマ表示装置において、１フレーム期間を複数のサブフィールド期間に分けて駆動する方法が提供される。この駆動方法は、前記複数の第１電極を第１及び第２グループを含む複数のグループに分け、前記複数のサブフィールドを第１及び第２グループを含む複数のグループに分け、前記第１グループのサブフィールドは第１リセット期間で第１グループの放電セルを初期化する段階と、第１アドレス期間で第１グループの放電セルのうち点灯される放電セルを選択する段階と、第２リセット期間で第２グループの放電セルを初期化する段階と、第２アドレス期間で前記第２グループの放電セルのうち点灯される放電セルを選択する段階と、維持期間で前記選択された第１及び第２グループの放電セルを維持放電させる段階と、を含み、前記第１リセット期間と前記第２リセット期間での最終電圧継続時間が異なる。
【０００８】
この時、前記第１及び第２リセット期間のうちいずれか一つは、前記第２電極の電圧を第１電圧から第２電圧まで漸進的に減少させる補助リセット期間であり、残り一つは、前記第２電極の電圧を第３電圧から第４電圧まで漸進的に増加させた後、第５電圧から第６電圧まで漸進的に減少させるメインリセット期間である。
【０００９】
また、前記第２グループのサブフィールド期間は、第３リセット期間で第２グループの放電セルを初期化する段階と、第３アドレス期間で前記第２グループの放電セルのうち点灯される放電セルを選択する段階と、第４リセット期間で第１グループの放電セルを初期化する段階と、第４アドレス期間で前記第１グループの放電セルのうち点灯される放電セルを選択する段階と、前記維持期間で前記選択された第１及び第２グループの放電セルを維持放電させる段階と、を含み、前記第３リセット期間と前記第４リセット期間での最終電圧継続時間が異なる。
【００１０】
そして、前記補助リセット期間と連なる前記第１または第２アドレス期間直後に、前記第３電極に第７電圧を印加し、前記第２電極の電圧を第８電圧から第９電圧まで漸進的に減少させる段階をさらに含むことができ、前記第７電圧と前記第９電圧の差は、前記補助リセット期間で前記第２電極に前記第２電圧が印加される時、前記第３電極と前記第２電極に印加された電圧の差より大きくてもよい。
【００１１】
また、本発明の別の一つの観点によれば、プラズマ表示パネル、制御部及び駆動回路を含むプラズマ表示装置が提供される。プラズマ表示パネルは、複数の第１電極と複数の第２電極及び前記第１電極と第２電極に交差する方向に形成される複数の第３電極を含み、制御部は、前記複数の第１電極を第１及び第２グループを含む複数のグループに分け、１フレーム期間を第１及び第２グループを含む複数のサブフィールド期間に分けて駆動されるようにする。
【００１２】
そして、駆動回路は前記第１グループのサブフィールド期間で、第１リセット期間の間第１グループの放電セルを初期化し、第１アドレス期間の間第１グループの放電セルに関してアドレス放電を遂行した後、第２リセット期間の間第２グループの放電セルを初期化し、第２アドレス期間の間第２グループの放電セルに関してアドレス放電を遂行する。この時、前記駆動回路は、前記第１リセット期間での最終電圧継続時間を前記第２リセット期間での最終電圧継続時間と異なるようにする。
【発明の効果】
【００１３】
本発明によるプラズマ表示装置及びその駆動方法は、第１グループの放電セルに関して補助リセットで初期化を遂行した後、アドレッシングを遂行し、第２グループの放電セルに関してメインリセットで初期化を遂行した後、アドレッシングを遂行することによって、安定なアドレス放電を起こすことができるようになる。この時、補助リセットの最終電圧継続時間をメインリセットの最終電圧継続時間より長くすることによって補助リセットを遂行する時放電遅延による過度な放電または誤放電を防止できて比較的に安定なアドレス放電を起こすことができるようになる。
【発明を実施するための最良の形態】
【００１４】
以下、添付した図面を参照して、本発明の好ましい実施の形態について当業者が容易に実施することができるように詳細に説明する。しかしながら、本発明は多様に異なる形態で実現できるので、ここで説明する実施の形態に限定されるものではない。そして、図面で本発明を明確に説明するために説明と無関係な部分は省略し、明細書全体を通じて類似な部分については類似な図面符号を示すものとする。また、ある部分がある構成要素を“包含”するという時、これは、特別に反対の記載がない限り他の構成要素を除くものではなく、他の構成要素をさらに含むことができることを意味する。
【００１５】
そして、本発明で壁電荷とは、セルの壁（例えば、誘電体層）上で各電極に近く形成される電荷を言う。また、壁電荷は、実際に電極自体に接触しないが、ここでは電極に“形成される”、“蓄積される”または“積まれる”のように説明する。そして、壁電圧は、壁電荷によってセルの壁に形成される電位差を言う。
【００１６】
以下、本発明の実施の形態によるプラズマ表示装置及びその駆動方法に関して詳細に説明する。
【００１７】
まず、本発明の実施の形態によるプラズマ表示装置の概略的な構造に関して図２を参照して詳しく説明する。
【００１８】
図２は、本発明の実施の形態によるプラズマ表示装置を示す図面である。
【００１９】
図２に示したように、本発明の実施の形態によるプラズマ表示装置は、プラズマ表示パネル１００と、制御部２００と、アドレス電極駆動部３００と、走査電極駆動部４００及び維持電極駆動部５００と、を含む。
【００２０】
プラズマ表示パネル１００は、列方向にのびている複数のアドレス電極（Ａ１〜Ａｍ）と、行方向に互いに対をなしながらのびている複数の維持電極（Ｘ１〜Ｘｎ）及び走査電極（Ｙ１〜Ｙｎ）と、を含む。維持電極（Ｘ１〜Ｘｎ）は、各走査電極（Ｙ１〜Ｙｎ）に対応して形成され、一般にその一端が互いに共通で連結されている。そして、プラズマ表示パネル１００は、維持及び走査電極（Ｘ１〜Ｘｎ、Ｙ１〜Ｙｎ）が配列された基板（図示せず）とアドレス電極（Ａ１〜Ａｍ）が配列された基板（図示せず）とからなる。両基板は走査電極（Ｙ１〜Ｙｎ）とアドレス電極（Ａ１〜Ａｍ）及び維持電極（Ｘ１〜Ｘｎ）とアドレス電極（Ａ１〜Ａｍ）が各々直交するように放電空間を挟んで対向して配置される。この時、アドレス電極（Ａ１〜Ａｍ）と維持及び走査電極（Ｘ１〜Ｘｎ、Ｙ１〜Ｙｎ）の交差部にある放電空間が放電セルを形成する。このようなプラズマ表示パネル１００の構造は一例であり、後述する駆動波形が適用できる他の構造のパネルも本発明に適用できる。
【００２１】
制御部２００は、外部から映像信号を受信してアドレス駆動制御信号と、維持電極駆動制御信号及び走査電極駆動制御信号と、を出力する。そして、制御部２００は、１フレーム期間を複数のサブフィールド期間に分割して駆動し、各サブフィールド期間は時間的な動作変化で表現すれば、リセット期間と、アドレス期間及び維持期間と、からなる。
【００２２】
アドレス電極駆動部３００は、制御部２００からアドレス電極（Ａ）駆動制御信号を受信して表示しようとする放電セルを選択するための表示データ信号を各アドレス電極（Ａ）に印加する。
【００２３】
走査電極駆動部４００は、制御部２００から走査電極駆動制御信号を受信して走査電極（Ｙ）に所定波形の駆動電圧を印加する。
【００２４】
維持電極駆動部５００は、制御部２００から維持電極駆動制御信号を受信して維持電極（Ｘ）に所定波形の駆動電圧を印加する。
【００２５】
その次に、図３を参照して本発明の第１実施例によるプラズマ表示装置の駆動波形に関して詳細に説明する。下記では、便宜上一つのセルを形成する走査電極（以下、“Ｙ電極”という。）、維持電極（以下、“Ｘ電極”という。）及びアドレス電極（以下、“Ａ電極”という。）に印加される駆動波形についてのみ説明する。
【００２６】
図３は、本発明の第１実施例によるプラズマ表示装置の駆動波形を示す図面である。
【００２７】
図３に示したように、本発明の第１実施例によるプラズマ表示装置は、複数のＸ電極を複数のグループに分割して駆動する。図３では複数のＸ電極を二つのグループに分割し、第１グループは奇数番目Ｘ電極に、第２グループは偶数番目Ｘ電極に分割されたことと示した。下記では、第１グループのＸ電極とＹ電極及びこれと交差するＡ電極によって形成される放電セルを第１グループの放電セルといい、第２グループのＸ電極とＹ電極及びこれと交差するＡ電極によって形成される放電セルを第２グループの放電セルという。
【００２８】
図３を見れば、一つのサブフィールドで第１グループの放電セルについては補助リセットを遂行した後にアドレス放電を遂行し、第２グループの放電セルについてはメインリセットを遂行した後に、アドレス放電を遂行する。ここで、補助リセットは下降期間を含むが上昇期間を含まないリセット期間をいい、メインリセットは上昇期間と下降期間とからなるリセット期間をいう。そして、補助リセットは直前サブフィールドで維持放電が起こった放電セルに関して初期化を遂行し、メインリセットは全ての放電セルを初期化を遂行する。
【００２９】
このように本発明の第１実施例では、補助リセットを遂行した第１グループの放電セルに関して、まずアドレッシング動作を遂行し、それ以後に第２グループの放電セルについてはメインリセットを遂行した後、アドレッシング動作を遂行することによって、リセットの後に全放電セルに関して順次にアドレッシングを遂行する従来の駆動方法に比べて、リセット直後から最後の放電セルのアドレッシング動作を遂行する時までに要する時間を半分に縮めることができるので、プライミング粒子の減少が少なく、アドレス放電を安定的に起こすことができるようになる。
【００３０】
一方、図３では、各サブフィールド期間における補助リセットがメインリセットより前に遂行されるように図示したが、これと異なるようにしても良い。例えば、メインリセットをまず遂行してから、補助リセットを遂行しても良く、補助リセットまたはメインリセットのみを遂行しても良い。しかしながら、補助リセットは、直前サブフィールドで維持放電がある場合には、リセット放電が起こり、維持放電がない場合には、リセット放電が起こらないので、補助リセットを後に遂行するようになれば直前サブフィールドの維持放電が終了した後から補助リセットを始める前までかかる時間が長いので、プライミング粒子が消滅して補助リセットに適切な水準の壁電荷を形成しないことがあり、メインリセットのみを遂行する場合にはリセットにかかる時間が長くなるので最良の実施例にはならない。したがって、本発明の第１実施では、各サブフィールド期間で時間的に補助リセットがメインリセットより前に遂行される場合を説明する。
【００３１】
まず、奇数番目サブフィールド（ｏｄｄ  ｎｕｍｂｅｒｅｄ  ＳＦ）に印加される駆動波形について説明する。
【００３２】
奇数番目サブフィールドでは、図３左端部分に示したように、リセット期間（Ｒ１１）の直前維持期間（Ｓ２）に、Ｙ電極にＶｓ電圧が印加され、第１グループのＸ電極に基準電圧（図３では０Ｖ）が印加されて最後維持放電が起こる。この時、第２グループのＸ電極の電圧がＶｓ電圧にバイアスされているので維持放電が起こらない。したがって、第２グループのＸ電極の場合には、第２グループのＸ電極にＶｓ電圧が印加され、Ｙ電極に基準電圧が印加されて最後維持放電が起こる。
【００３３】
リセット期間（Ｒ１１）の下降期間では、以前サブフィールドの維持期間でＹ電極に最後維持放電パルスが印加された状態でＹ電極の電圧をＶｎｆ電圧まで漸進的に減少させる。この時、Ａ電極及び第２グループのＸ電極には基準電圧が印加され、第１グループのＸ電極はＶｅ電圧にバイアスされる。そうすれば、Ｙ電極の電圧が減少する中にＹ電極と第１グループのＸ電極の間及びＹ電極とＡ電極との間で微弱なリセット放電が起こりながら、Ｙ電極に形成された（−）の壁電荷と第１グループのＸ電極及びＡ電極に形成された（＋）の壁電荷が消去される。
【００３４】
このように、電極の電圧が図３のように漸進的に変わる場合には、セルに微弱な放電が起こりながら外部から印加された電圧とセルの壁電圧の和が放電開始電圧状態を維持するように壁電荷が形成される。このような原理についてはＷｅｂｅｒの特許文献１  に開示されている。一般に（Ｖｅ−Ｖｎｆ）電圧の大きさは、Ｙ電極とＸ電極の間の放電開始電圧近傍に設定される。そうすれば、Ｙ電極とＸ電極の間の壁電圧が殆ど０Ｖになって、アドレス期間でアドレス放電を起こさなかったセルが維持期間で誤放電することを防止できる。
【００３５】
他方、リセット期間（Ｒ１１）でＹ電極と第２グループのＸ電極との間でリセット放電が起こらない理由について説明すれば、最後維持放電が以後、第２グループのＸ電極には（−）壁電荷が形成され、Ｙ電極には（＋）壁電荷が形成される。この状態でＹ電極の電圧をＶｎｆ電圧まで減少させるようになれば、Ｙ電極と第２グループのＸ電極の間の電位差が減ってリセット放電が起こらないようになる。
【００３６】
その次に、アドレス期間（Ａ１１）では、放電セルを選択するためにＹ電極に順次にＶｓｃＬ電圧を有する走査パルスを印加し、ＶｓｃＬ電圧が印加されないＹ電極をＶｓｃＨ電圧にバイアスする。そして、ＶｓｃＬ電圧が印加されたＹ電極によって形成される複数の放電セルの中で選択しようとする放電セルを通過するＡ電極にＶａ電圧を有するアドレスパルスを印加し、選択しないＡ電極は基準電圧にバイアスする。
【００３７】
そうすれば、Ｖａ電圧が印加されたＡ電極とＶｓｃＬ電圧が印加されたＹ電極によって形成される放電セルにアドレス放電が起こりながら、Ｙ電極には（＋）の壁電荷が形成され、第１グループのＸ電極には（−）の壁電荷が形成される。また、Ａ電極にも（−）壁電荷が形成される。
【００３８】
この時、Ｙ電極には（＋）壁電荷が形成されているので、アドレス期間（Ａ１１）で第２グループの放電セルにはアドレス放電が起こらない。
【００３９】
一方、図３ではリセット期間（Ｒ１１）の下降期間とアドレス期間（Ａ１１）で第１グループのＸ電極にＶｅ電圧を印加することと説明したが、第２グループのＸ電極に印加された電圧と同一な電圧である基準電圧が印加されても良い。
【００４０】
これにより、第１グループの放電セルに関してアドレス放電が終われば、第２グループの放電セルに関してリセット放電が遂行される。
【００４１】
リセット期間（Ｒ１２）の上昇期間では、第１グループのＸ電極及びＡ電極を各々Ｖｓ１電圧及び基準電圧に維持した状態でＹ電極の電圧を基準電圧からＶｓ２電圧まで漸進的に増加させる。この時、第２グループのＸ電極には負の電圧であるＶｎ電圧が印加される。
【００４２】
そうすれば、Ｙ電極の電圧が増加する中にＹ電極と第２グループのＸ電極との間で微弱なリセット放電が起こりながら、Ｙ電極に形成された（−）の壁電荷が形成され、第２グループのＸ電極には（＋）壁電荷が形成される。ここで、リセット期間では、全てのセルの状態を初期化するべきなので、Ｖｓ１電圧とＶｎ電圧の差は全ての条件のセルで放電が起こることができる程度の高電圧である。この時、Ｖｓ１電圧とＶｓ２電圧の大きさを維持期間で維持放電のためにＸ電極とＹ電極に印加される維持放電電圧（Ｖｓ）と同一な大きさに設定すれば追加的な電源の種類を少なくすることができる。
【００４３】
そして、リセット期間（Ｒ１２）の下降期間では第１グループのＸ電極及び第２グループのＸ電極を各々基準電圧及びＶｅ電圧に維持した状態でＹ電極の電圧を基準電圧からＶｎｆ電圧まで漸進的に減少させる。そうすれば、Ｙ電極の電圧が減少する中にＹ電極と第２グループのＸ電極との間で微弱なリセット放電が起こりながら、Ｙ電極及びＸ電極に形成された壁電荷が消去される。
【００４４】
他方、リセット期間（Ｒ１２）でＹ電極と第１グループのＸ電極との間でリセット放電が起こらない理由について説明すれば、上昇期間でＹ電極は電圧がＶｓ２電圧まで増加する時、第１グループのＸ電極にはＶｓ１電圧にバイアスされているので、第１グループのＸ電極とＹ電極との間ではリセット放電が起こらないようになる。
【００４５】
したがって、上昇期間終了後の壁電荷状態は、アドレス期間終了後の壁電荷状態と実質的に同一になる。すなわち、Ｙ電極には（＋）の壁電荷が形成され、Ｘ電極には（−）の壁電荷が形成された状態に下降期間でＹ電極の電圧がＶｎｆ電圧に減少する時、第１グループのＸ電極には基準電圧にバイアスされるので、Ｙ電極と第２グループのＸ電極の間の電位差が減ってリセット放電が起こらないようになる。
【００４６】
その次に、アドレス期間（Ａ１２）では、放電セルを選択するためにＹ電極に順次にＶｓｃＬ電圧を有する走査パルスを印加し、ＶｓｃＬ電圧が印加されないＹ電極をＶｓｃＨ電圧にバイアスする。この時、ＶｓｃＬ電圧を走査電圧といい、ＶｓｃＨ電圧を非走査電圧であるともいう。そして、ＶｓｃＬ電圧が印加されたＹ電極によって形成される複数の放電セルの中で選択しようとする放電セルを通過するＡ電極にＶａ電圧を有するアドレスパルスを印加し、選択しないＡ電極は基準電圧にバイアスする。
【００４７】
そうすれば、Ｖａ電圧が印加されたＡ電極とＶｓｃＬ電圧が印加されたＹ電極によって形成される放電セルにアドレス放電が起こりながら、Ｙ電極には（＋）の壁電荷が形成され、第２グループのＸ電極には（−）の壁電荷が形成される。また、Ａ電極にも（−）壁電荷が形成される。
【００４８】
次いで、維持期間（Ｓ１）では、Ｙ電極と第１及び第２グループのＸ電極に順次にＶｓ電圧の維持放電パルスを印加する。そうすれば、アドレス期間でアドレス放電によってＹ電極とＸ電極との間に形成された壁電圧とＶｓ電圧によってＹ電極とＸ電極で放電が起こる。一方、Ｙ電極に最後維持放電パルスが印加される時、第１グループのＸ電極にはＶｓ電圧が印加され、第２グループのＸ電極には基準電圧が印加される。
【００４９】
その次に、偶数番目サブフィールド（even  ｎｕｍｂｅｒｅｄ  ＳＦ）に印加される駆動波形について説明する。
【００５０】
偶数番目サブフィールドでは、図３に示したように、サブフィールド（Ｒ２１）の直前維持期間でＹ電極にＶｓ電圧が印加され、第２グループのＸ電極に基準電圧が印加されて最後維持放電が起こる。この時、第１グループのＸ電極の電圧がＶｓ電圧にバイアスされているので、維持放電が起こらない。したがって、第１グループのＸ電極の場合には、第１グループのＸ電極にＶｓ電圧が印加され、Ｙ電極に基準電圧が印加されて最後維持放電が起こる。
【００５１】
リセット期間（Ｒ２１）の下降期間では、以前サブフィールドの維持期間でＹ電極に最後維持放電パルスが印加された状態でＹ電極の電圧をＶｎｆ電圧まで漸進的に減少させる。この時、Ａ電極及び第１グループのＸ電極には基準電圧が印加され、第２グループのＸ電極はＶｅ電圧にバイアスされる。
【００５２】
そうすれば、Ｙ電極の電圧が減少する中にＹ電極と第２グループのＸ電極の間及びＹ電極とＡ電極との間で微弱なリセット放電が起こりながら、Ｙ電極に形成された（−）の壁電荷と第２グループのＸ電極及びＡ電極に形成された（＋）の壁電荷が消去される。この時、前述したように、最後維持放電以後第１グループのＸ電極には（−）壁電荷が形成され、Ｙ電極には（＋）壁電荷が形成されているので、リセット期間（Ｒ２１）でＹ電極と第１グループのＸ電極との間でリセット放電が起こらない。
【００５３】
アドレス期間（Ａ２１）では、放電セルを選択するためにＹ電極に順次にＶｓｃＬ電圧を有する走査パルスを印加し、ＶｓｃＬ電圧が印加されないＹ電極をＶｓｃＨ電圧にバイアスする。そして、ＶｓｃＬ電圧が印加されたＹ電極によって形成される複数の放電セルの中で選択しようとする放電セルを通過するＡ電極にＶａ電圧を有するアドレスパルスを印加し、選択しないＡ電極は基準電圧にバイアスする。
【００５４】
そうすれば、Ｖａ電圧が印加されたＡ電極とＶｓｃＬ電圧が印加されたＹ電極によって形成される放電セルにアドレス放電が起こりながら、Ｙ電極には（＋）の壁電荷が形成され、第２グループのＸ電極には（−）の壁電荷が形成される。また、Ａ電極にも（−）壁電荷が形成される。この時、Ｙ電極には（＋）壁電荷が形成されているので、アドレス期間で第１グループの放電セルには放電が起こらない。
【００５５】
これにより、第２グループの放電セルに関してアドレス放電が終われば、第１グループの放電セルに関してリセット放電が遂行される。
【００５６】
リセット期間（Ｒ２２）の上昇期間では、第２グループのＸ電極及びＡ電極を各々Ｖｓ１電圧及び基準電圧に維持した状態でＹ電極の電圧を基準電圧からＶｓ２電圧まで漸進的に増加させる。この時、第１グループのＸ電極には、負の電圧であるＶｎ電圧が印加される。そうすれば、Ｙ電極の電圧が増加する中にＹ電極と第１グループのＸ電極との間で微弱なリセット放電が起こりながら、Ｙ電極に形成された（−）の壁電荷が形成され、第２グループのＸ電極には（＋）壁電荷が形成される。
【００５７】
そして、リセット期間（Ｒ２２）の下降期間では、第１グループのＸ電極及び第２グループのＸ電極を各々Ｖｅ電圧及び基準電圧に維持した状態でＹ電極の電圧を基準電圧からＶｎｆ電圧まで漸進的に減少させる。そうすれば、Ｙ電極の電圧が減少する中にＹ電極と第１グループのＸ電極との間で微弱なリセット放電が起こりながら、Ｙ電極及びＸ電極に形成された壁電荷が消去される。
【００５８】
他方、前述したような理由にリセット期間（Ｒ２２）でＹ電極と第２グループのＸ電極との間でリセット放電が起こらない。
【００５９】
その次に、アドレス期間（Ａ２２）では、放電セルを選択するためにＹ電極に順次にＶｓｃＬ電圧を有する走査パルスを印加し、ＶｓｃＬ電圧が印加されないＹ電極をＶｓｃＨ電圧にバイアスする。そして、ＶｓｃＬ電圧が印加されたＹ電極によって形成される複数の放電セルの中で選択しようとする放電セルを通過するＡ電極にＶａ電圧を有するアドレスパルスを印加し、選択しないＡ電極は基準電圧にバイアスする。
【００６０】
そうすれば、Ｖａ電圧が印加されたＡ電極とＶｓｃＬ電圧が印加されたＹ電極によって形成される放電セルにアドレス放電が起こりながら、Ｙ電極には（＋）の壁電荷が形成され、第１グループのＸ電極には（−）壁電荷が形成される。また、Ａ電極にも（−）壁電荷が形成される。
【００６１】
次いで、維持期間（Ｓ２）ではＹ電極と第１及び第２グループのＸ電極に順次にＶｓ電圧の維持放電パルスを印加する。そうすれば、アドレス期間でアドレス放電によってＹ電極とＸ電極との間に形成された壁電圧とＶｓ電圧によってＹ電極とＸ電極で放電が起こる。
【００６２】
これにより、本発明の第１実施例では、第１グループの放電セルに関して初期化を遂行した後アドレッシングを遂行し、第２グループの放電セルに関して初期化を遂行した後アドレッシングを遂行することによって、安定なアドレス放電を起こすことができるようになる。
【００６３】
一方、二つの電極の間に電圧を印加して遂行される放電は、電圧が印加された時点より時間的に遅延して放電が発生するので、一般に下降期間で最終電圧（Ｖｎｆ）を一定期間（Ｔ１）の間継続させてＹ電極とＸ電極及びＹ電極とＡ電極にアドレッシングを遂行するための壁電荷を形成させることができる。
【００６４】
ところで、電極の電圧が緩慢に変わる場合には、Ｘ電極とＹ電極の間の間隙付近にのみ放電が起こって間隙付近にのみ電荷が形成されたり消去されるけれど、維持放電のように強い放電が起こる場合には、放電がＸ電極とＹ電極の間隙で内部に拡散して電極全体に電荷が形成できる。このように、維持放電によって電荷が形成された後、補助リセットを遂行する場合に放電遅延が長くなって電極内部に形成された電荷が消去されず多くの電荷が残ることがある。このように、多くの電荷が残っていれば以後アドレス期間と維持期間での放電時に過度な放電または誤放電が起こることがある。下記では、このような問題点を解決するための実施の形態に関して図４を参照して詳細に説明する。
【００６５】
図４は、各本発明の第２実施例によるプラズマ表示装置の駆動波形を示した図面である。
【００６６】
図４に示したように、補助リセット期間におけるＶｎｆ電圧継続期間（Ｔ２）をメインリセット期間におけるＶｎｆ電圧継続期間（Ｔ１）より長くする。これにより、放電遅延があってもＶｎｆ電圧継続期間（Ｔ２）において放電が起こり得るので、直前維持放電によって電極内部に形成された壁電荷を消去することができる。したがって、前述した過度な放電や誤放電を防止できるようになる。
【００６７】
そして、本発明の第１及び第２実施例では、メインリセットの上昇期間でＹ電極の電圧をＶｓ電圧近傍として説明した。この時、Ｘ電極には基準電圧より低いＶｎ電圧が印加されるので、Ｙ電極とＸ電極の間の電圧差が大きくなってＹ電極とＸ電極との間には十分な壁電荷が形成できる。しかしながら、Ｙ電極とＡ電極の電圧差は相対的に大きくないので、Ｙ電極とＡ電極との間に十分な壁電荷が形成されるとは言えない。したがって、以後の放電がよく起こるとは言えない。下記では、Ｙ電極とＡ電極との間に壁電荷を十分に形成できる実施例に関して図５を参照して詳細に説明する。
【００６８】
図５は、本発明の第３実施例によるプラズマ表示装置の駆動波形を示した図面である。
【００６９】
図５に示したように、補助リセットを遂行するためにリセット期間（Ｒ１１、Ｒ２１）に連なるアドレス期間（Ａ１１、Ａ２１）直後の補助アドレス期間（Ａ１１’、Ａ２１’）では、第１及び第２グループのＸ電極を基準電圧にバイアスした状態でＡ電極にＶａ電圧を印加し、Ｙ電極の電圧をＶｓｃＨ１またはＶｓｃＨ２電圧からＶｓｃＬ電圧まで漸進的に減少させる。これにより、Ａ電極に（−）壁電荷が形成され、Ｙ電極に（＋）壁電荷が形成される。
【００７０】
すなわち、Ｙ電極の壁電荷による電位がＡ電極の壁電荷による電位より高まるので、以後のリセット期間（Ｒ２１）の上昇期間でＹ電極とＡ電極の間の放電を早く起こせるようになる。したがって、Ｙ電極とＡ電極との間に十分な壁電荷を形成できる。
【００７１】
他方、本発明の第１乃至第３実施例で説明した各電極の電圧レベルは、Ａ電極、Ｘ電極及びＹ電極の電圧差が実施例と類似しても、異なる電圧レベルまたは異なる形態への変更も可能である。
【００７２】
以上、本発明の好ましい実施の形態について説明したが、本発明はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００７３】
【図１】従来のプラズマ表示装置の駆動波形を示した図面である。
【図２】本発明の実施の形態によるプラズマ表示装置を示す図面である。
【図３】本発明の第１実施例によるプラズマ表示装置の駆動波形を示す図面である。
【図４】本発明の第２実施例によるプラズマ表示装置の駆動波形を示す図面である。
【図５】本発明の第３実施例によるプラズマ表示装置の駆動波形を示す図面である。
【符号の説明】
【００７４】
１００    プラズマ表示パネル
２００    制御部
３００    アドレス電極駆動部
４００    走査電極駆動部
５００    維持電極駆動部
Ａ１乃至Ａｍ    アドレス電極
Ｘ１乃至Ｘｎ    維持電極
Ｙ１乃至Ｙｎ    走査電極
Ａ１１、Ａ２１    アドレス期間
Ａ１１’、Ａ２１’    アドレス期間直後の補助アドレス期間
Ｒ１１、Ｒ２１    リセット期間
【図１】
0004509966.tif 000002
【図２】
0004509966.tif 000003
【図３】
0004509966.tif 000004
【図４】
0004509966.tif 000005
【図５】
0004509966.tif 000006